(57)【要約】【課題】ユーザの意図に沿った後処理を実行可能とする。【解決手段】まず、ハードディスクに保存されているファイルの中から結合すべき複数のファイルが選択される（ステップＳ２２）。後処理全体設定モードが選択された場合には（ステップＳ２６；ＹＥＳ）、選択された各ファイルの後処理条件が無効とされ（ステップＳ２７）、複数のファイル全体に対して新たに後処理条件が設定される（ステップＳ２９）。そして、画像形成が行われ（ステップＳ３０）、複数のファイル全体に対して設定された後処理条件に基づいて後処理が実施される（ステップＳ３１）。後処理個別設定モードが選択された場合には（ステップＳ３２）、画像形成が行われ（ステップＳ３３）、ファイル毎に予め設定されている後処理条件に基づいて後処理が実施される（ステップＳ３４）。【選択図】図１０
2007062269.tif 000002
【特許請求の範囲】
【請求項１】
画像データと当該画像データを出力する際の後処理条件とを含むファイルを保存する保存手段と、
前記保存手段から結合すべき複数のファイルを読み出す読み出し手段と、
前記複数のファイルを結合する結合手段と、
前記結合されたファイルに応じて記録媒体に画像形成を行う画像形成手段と、
前記画像形成が行われた記録媒体に後処理を施す後処理手段と、
前記複数のファイルそれぞれに予め設定されている後処理条件を無効とし、前記複数のファイル全体に対して新たに設定した後処理条件に基づいて後処理を施す第１の後処理モード、又は前記複数のファイルそれぞれに予め設定されている後処理条件に基づいてファイル毎に後処理を施す第２の後処理モードに応じて後処理制御を行う制御手段と、
を備えたことを特徴とする画像形成装置。
【請求項２】
請求項１に記載の画像形成装置において、
前記第１の後処理モード又は第２の後処理モードを選択するためのモード選択手段を備えたことを特徴とする画像形成装置。
【請求項３】
請求項２に記載の画像形成装置において、
前記モード選択手段により選択されたモードに応じて後処理条件を決定する後処理決定手段を備え、
前記制御手段は、前記決定された後処理条件に基づいて後処理制御を行うことを特徴とする画像形成装置。
【請求項４】
請求項２又は３に記載の画像形成装置において、
前記第２の後処理モードが選択された場合に、前記複数のファイルそれぞれに対して、各ファイルに予め設定されている後処理条件との関係において予め追加が許可されている後処理条件のみを前記複数のファイル全体に対して追加可能とする後処理追加手段を備え、
前記制御手段は、前記複数のファイルそれぞれに予め設定されている後処理条件と前記複数のファイル全体に対して追加された後処理条件とに基づいて後処理を施すよう後処理制御を行うことを特徴とする画像形成装置。
【請求項５】
請求項２又は３に記載の画像形成装置において、
前記第２の後処理モードが選択された場合に、前記複数のファイルそれぞれに予め設定されている後処理条件に対して、後処理条件の追加又は変更を行う後処理追加変更手段を備え、
前記制御手段は、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行うことを特徴とする画像形成装置。
【請求項６】
画像データと当該画像データを出力する際の後処理条件とを含むファイルを保存する保存手段と、
前記保存手段から結合すべき複数のファイルを読み出す読み出し手段と、
前記複数のファイルを結合する結合手段と、
前記結合されたファイルに応じて記録媒体に画像形成を行う画像形成手段と、
前記画像形成が行われた記録媒体に後処理を施す後処理手段と、
前記複数のファイルそれぞれに対して、各ファイルに予め設定されている後処理条件との関係において予め追加が許可されている後処理条件のみを前記複数のファイル全体に対して追加可能とする後処理追加手段と、
前記複数のファイルそれぞれに予め設定されている後処理条件と前記複数のファイル全体に対して追加された後処理条件とに基づいて後処理を施すよう後処理制御を行う制御手段と、
を備えたことを特徴とする画像形成装置。
【請求項７】
画像データと当該画像データを出力する際の後処理条件とを含むファイルを保存する保存手段と、
前記保存手段から結合すべき複数のファイルを読み出す読み出し手段と、
前記複数のファイルを結合する結合手段と、
前記結合されたファイルに応じて記録媒体に画像形成を行う画像形成手段と、
前記画像形成が行われた記録媒体に後処理を施す後処理手段と、
前記複数のファイルそれぞれに予め設定されている後処理条件に対して、後処理条件の追加又は変更を行う後処理追加変更手段と、
後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行う制御手段と、
を備えたことを特徴とする画像形成装置。
【請求項８】
請求項１〜７のいずれか一項に記載の画像形成装置において、
前記保存手段は、不揮発性メモリであることを特徴とする画像形成装置。
【請求項９】
請求項８に記載の画像形成装置において、
前記保存手段は、ハードディスクであることを特徴とする画像形成装置。
【請求項１０】
画像データと当該画像データを出力する際の後処理条件とを含むファイルを保存する保存手段から結合すべき複数のファイルを読み出す読み出し工程と、
前記複数のファイルを結合する結合工程と、
前記結合されたファイルに応じて記録媒体に画像形成を行う画像形成工程と、
前記複数のファイルそれぞれに予め設定されている後処理条件を無効とし、前記複数のファイル全体に対して新たに設定した後処理条件に基づいて後処理を施す第１の後処理モード、又は前記複数のファイルそれぞれに予め設定されている後処理条件に基づいてファイル毎に後処理を施す第２の後処理モードに応じて前記画像形成が行われた記録媒体への後処理制御を行う制御工程と、
を含むことを特徴とする制御方法。
【請求項１１】
請求項１０に記載の制御方法において、
前記第１の後処理モード又は第２の後処理モードを選択するモード選択工程と、
前記選択されたモードに応じて後処理条件を決定する後処理決定工程と、
を含むことを特徴とする制御方法。
【請求項１２】
請求項１１に記載の制御方法において、
前記第２の後処理モードが選択された場合に、前記複数のファイルそれぞれに対して、各ファイルに予め設定されている後処理条件との関係において予め追加が許可されている後処理条件のみを前記複数のファイル全体に対して追加可能とする後処理追加工程を含み、
前記制御工程では、前記複数のファイルそれぞれに予め設定されている後処理条件と前記複数のファイル全体に対して追加された後処理条件とに基づいて後処理を施すよう後処理制御を行うことを特徴とする制御方法。
【請求項１３】
請求項１１に記載の制御方法において、
前記第２の後処理モードが選択された場合に、前記複数のファイルそれぞれに予め設定されている後処理条件に対して、後処理条件の追加又は変更を行う後処理追加変更工程を含み、
前記制御工程では、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行うことを特徴とする制御方法。
【請求項１４】
画像データと当該画像データを出力する際の後処理条件とを含むファイルを保存する保存手段から結合すべき複数のファイルを読み出す読み出し工程と、
前記複数のファイルを結合する結合工程と、
前記結合されたファイルに応じて記録媒体に画像形成を行う画像形成工程と、
前記複数のファイルそれぞれに対して、各ファイルに予め設定されている後処理条件との関係において予め追加が許可されている後処理条件のみを前記複数のファイル全体に対して追加可能とする後処理追加工程と、
前記画像形成が行われた記録媒体に後処理を施す際に、前記複数のファイルそれぞれに予め設定されている後処理条件と前記複数のファイル全体に対して追加された後処理条件とに基づいて後処理を施すよう後処理制御を行う制御工程と、
を含むことを特徴とする制御方法。
【請求項１５】
画像データと当該画像データを出力する際の後処理条件とを含むファイルを保存する保存手段から結合すべき複数のファイルを読み出す読み出し工程と、
前記複数のファイルを結合する結合工程と、
前記結合されたファイルに応じて記録媒体に画像形成を行う画像形成工程と、
前記複数のファイルそれぞれに予め設定されている後処理条件に対して、後処理条件の追加又は変更を行う後処理追加変更工程と、
前記画像形成が行われた記録媒体に後処理を施す際に、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行う制御工程と、
を含むことを特徴とする制御方法。
【請求項１６】
請求項１０〜１５のいずれか一項に記載の制御方法において、
画像データと当該画像データを出力する際の後処理条件とを含むファイルを保存手段に保存する保存工程を含むことを特徴とする制御方法。
【請求項１７】
コンピュータに、
画像データと当該画像データを出力する際の後処理条件とを含むファイルを保存する保存手段から結合すべき複数のファイルを読み出す読み出し機能と、
前記複数のファイルを結合する結合機能と、
前記結合されたファイルに応じて記録媒体に画像形成を行う画像形成機能と、
前記複数のファイルそれぞれに予め設定されている後処理条件を無効とし、前記複数のファイル全体に対して新たに設定した後処理条件に基づいて後処理を施す第１の後処理モード、又は前記複数のファイルそれぞれに予め設定されている後処理条件に基づいてファイル毎に後処理を施す第２の後処理モードに応じて前記画像形成が行われた記録媒体への後処理制御を行う制御機能と、
を実現させるためのプログラム。
【請求項１８】
請求項１７に記載のプログラムにおいて、
前記コンピュータに、
前記第１の後処理モード又は第２の後処理モードをユーザに選択させるモード選択機能と、
前記選択されたモードに応じて後処理条件を決定する後処理決定機能と、
を実現させることを特徴とするプログラム。
【請求項１９】
請求項１８に記載のプログラムにおいて、
前記コンピュータに、
前記第２の後処理モードが選択された場合に、前記複数のファイルそれぞれに対して、各ファイルに予め設定されている後処理条件との関係において予め追加が許可されている後処理条件のみを前記複数のファイル全体に対して追加可能とする後処理追加機能を実現させ、
前記制御機能を実現させる際に、前記複数のファイルそれぞれに予め設定されている後処理条件と前記複数のファイル全体に対して追加された後処理条件とに基づいて後処理を施すよう後処理制御を行うことを特徴とするプログラム。
【請求項２０】
請求項１８に記載のプログラムにおいて、
前記コンピュータに、
前記第２の後処理モードが選択された場合に、前記複数のファイルそれぞれに予め設定されている後処理条件に対して、後処理条件の追加又は変更を行う後処理追加変更機能を実現させ、
前記制御機能を実現させる際に、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行うことを特徴とするプログラム。
【請求項２１】
コンピュータに、
画像データと当該画像データを出力する際の後処理条件とを含むファイルを保存する保存手段から結合すべき複数のファイルを読み出す読み出し機能と、
前記複数のファイルを結合する結合機能と、
前記結合されたファイルに応じて記録媒体に画像形成を行う画像形成機能と、
前記複数のファイルそれぞれに対して、各ファイルに予め設定されている後処理条件との関係において予め追加が許可されている後処理条件のみを前記複数のファイル全体に対して追加可能とする後処理追加機能と、
前記画像形成が行われた記録媒体に後処理を施す際に、前記複数のファイルそれぞれに予め設定されている後処理条件と前記複数のファイル全体に対して追加された後処理条件とに基づいて後処理を施すよう後処理制御を行う制御機能と、
を実現させるためのプログラム。
【請求項２２】
コンピュータに、
画像データと当該画像データを出力する際の後処理条件とを含むファイルを保存する保存手段から結合すべき複数のファイルを読み出す読み出し機能と、
前記複数のファイルを結合する結合機能と、
前記結合されたファイルに応じて記録媒体に画像形成を行う画像形成機能と、
前記複数のファイルそれぞれに予め設定されている後処理条件に対して、後処理条件の追加又は変更を行う後処理追加変更機能と、
前記画像形成が行われた記録媒体に後処理を施す際に、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行う制御機能と、
を実現させるためのプログラム。
【請求項２３】
請求項１７〜２２のいずれか一項に記載のプログラムにおいて、
前記コンピュータに、
画像データと当該画像データを出力する際の後処理条件とを含むファイルを保存手段に保存する保存機能を実現させることを特徴とするプログラム。
【発明の詳細な説明】
【技術分野】
【０００１】
本発明は、複数のファイルを結合して出力する画像形成装置、制御方法及びプログラムに関する。
【背景技術】
【０００２】
一般に、複写機やプリンタ等の画像形成装置は、ハードディスク等の記憶手段を備えており、スキャナにより読み取った画像データや外部機器から受信した画像データを保存することができるようになっている。例えば、一度画像形成を行った画像データファイルを保存しておくことにより、後に、保存されているファイルを読み出して出力することができるため、再び原稿を読み取ったり、データを受信したりする必要がない。
【０００３】
また、ジョブ同士を結合して１つのジョブとして出力する際に、ジョブが結合可能であるか否かをジョブ属性に基づいて判定し、この判定結果が結合不可の場合には結合不可通知を行い、結合するジョブのジョブ属性の一部又は全部を操作者の操作によって除外又は変更可能とする情報処理装置が提案されている（例えば、特許文献１参照。）。この情報処理装置では、ジョブ属性を除外又は変更することができるので、結合可能なジョブの対象を広げることができる。
【０００４】
また、入出力条件が異なる複数のジョブを一連のジョブとして結合し、結合された複数のジョブのそれぞれの出力条件に従った一連の印刷出力処理を実行する画像形成装置が提案されている（例えば、特許文献２参照。）。
【特許文献１】特開２００３−１７７８７９号公報
【特許文献２】特開２００５−３７５４９号公報
【発明の開示】
【発明が解決しようとする課題】
【０００５】
しかし、保存されている複数のファイルを読み出して、それらを結合させて出力する場合には、ファイル全体に対して共通の後処理を行いたい場合と、ファイル毎に予め設定されている後処理を維持したまま出力したい場合とがあった。
【０００６】
本発明は、ユーザの意図に沿った後処理を実行可能な画像形成装置、制御方法及びプログラムを提供することを課題とする。
【課題を解決するための手段】
【０００７】
上記課題を解決するために、請求項１に記載の発明は、
画像データと当該画像データを出力する際の後処理条件とを含むファイルを保存する保存手段と、
前記保存手段から結合すべき複数のファイルを読み出す読み出し手段と、
前記複数のファイルを結合する結合手段と、
前記結合されたファイルに応じて記録媒体に画像形成を行う画像形成手段と、
前記画像形成が行われた記録媒体に後処理を施す後処理手段と、
前記複数のファイルそれぞれに予め設定されている後処理条件を無効とし、前記複数のファイル全体に対して新たに設定した後処理条件に基づいて後処理を施す第１の後処理モード、又は前記複数のファイルそれぞれに予め設定されている後処理条件に基づいてファイル毎に後処理を施す第２の後処理モードに応じて後処理制御を行う制御手段と、
を備えたことを特徴とする画像形成装置である。
【０００８】
請求項２に記載の発明は、請求項１に記載の画像形成装置において、
前記第１の後処理モード又は第２の後処理モードを選択するためのモード選択手段を備えたことを特徴とする。
【０００９】
請求項３に記載の発明は、請求項２に記載の画像形成装置において、
前記モード選択手段により選択されたモードに応じて後処理条件を決定する後処理決定手段を備え、
前記制御手段は、前記決定された後処理条件に基づいて後処理制御を行うことを特徴とする。
【００１０】
請求項４に記載の発明は、請求項２又は３に記載の画像形成装置において、
前記第２の後処理モードが選択された場合に、前記複数のファイルそれぞれに対して、各ファイルに予め設定されている後処理条件との関係において予め追加が許可されている後処理条件のみを前記複数のファイル全体に対して追加可能とする後処理追加手段を備え、
前記制御手段は、前記複数のファイルそれぞれに予め設定されている後処理条件と前記複数のファイル全体に対して追加された後処理条件とに基づいて後処理を施すよう後処理制御を行うことを特徴とする。
【００１１】
請求項５に記載の発明は、請求項２又は３に記載の画像形成装置において、
前記第２の後処理モードが選択された場合に、前記複数のファイルそれぞれに予め設定されている後処理条件に対して、後処理条件の追加又は変更を行う後処理追加変更手段を備え、
前記制御手段は、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行うことを特徴とする。
【００１２】
請求項６に記載の発明は、
画像データと当該画像データを出力する際の後処理条件とを含むファイルを保存する保存手段と、
前記保存手段から結合すべき複数のファイルを読み出す読み出し手段と、
前記複数のファイルを結合する結合手段と、
前記結合されたファイルに応じて記録媒体に画像形成を行う画像形成手段と、
前記画像形成が行われた記録媒体に後処理を施す後処理手段と、
前記複数のファイルそれぞれに対して、各ファイルに予め設定されている後処理条件との関係において予め追加が許可されている後処理条件のみを前記複数のファイル全体に対して追加可能とする後処理追加手段と、
前記複数のファイルそれぞれに予め設定されている後処理条件と前記複数のファイル全体に対して追加された後処理条件とに基づいて後処理を施すよう後処理制御を行う制御手段と、
を備えたことを特徴とする画像形成装置である。
【００１３】
請求項７に記載の発明は、
画像データと当該画像データを出力する際の後処理条件とを含むファイルを保存する保存手段と、
前記保存手段から結合すべき複数のファイルを読み出す読み出し手段と、
前記複数のファイルを結合する結合手段と、
前記結合されたファイルに応じて記録媒体に画像形成を行う画像形成手段と、
前記画像形成が行われた記録媒体に後処理を施す後処理手段と、
前記複数のファイルそれぞれに予め設定されている後処理条件に対して、後処理条件の追加又は変更を行う後処理追加変更手段と、
後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行う制御手段と、
を備えたことを特徴とする画像形成装置である。
【００１４】
請求項８に記載の発明は、請求項１〜７のいずれか一項に記載の画像形成装置において、
前記保存手段は、不揮発性メモリであることを特徴とする。
【００１５】
請求項９に記載の発明は、請求項８に記載の画像形成装置において、
前記保存手段は、ハードディスクであることを特徴とする。
【００１６】
請求項１０に記載の発明は、
画像データと当該画像データを出力する際の後処理条件とを含むファイルを保存する保存手段から結合すべき複数のファイルを読み出す読み出し工程と、
前記複数のファイルを結合する結合工程と、
前記結合されたファイルに応じて記録媒体に画像形成を行う画像形成工程と、
前記複数のファイルそれぞれに予め設定されている後処理条件を無効とし、前記複数のファイル全体に対して新たに設定した後処理条件に基づいて後処理を施す第１の後処理モード、又は前記複数のファイルそれぞれに予め設定されている後処理条件に基づいてファイル毎に後処理を施す第２の後処理モードに応じて前記画像形成が行われた記録媒体への後処理制御を行う制御工程と、
を含むことを特徴とする制御方法である。
【００１７】
請求項１１に記載の発明は、請求項１０に記載の制御方法において、
前記第１の後処理モード又は第２の後処理モードを選択するモード選択工程と、
前記選択されたモードに応じて後処理条件を決定する後処理決定工程と、
を含むことを特徴とする。
【００１８】
請求項１２に記載の発明は、請求項１１に記載の制御方法において、
前記第２の後処理モードが選択された場合に、前記複数のファイルそれぞれに対して、各ファイルに予め設定されている後処理条件との関係において予め追加が許可されている後処理条件のみを前記複数のファイル全体に対して追加可能とする後処理追加工程を含み、
前記制御工程では、前記複数のファイルそれぞれに予め設定されている後処理条件と前記複数のファイル全体に対して追加された後処理条件とに基づいて後処理を施すよう後処理制御を行うことを特徴とする。
【００１９】
請求項１３に記載の発明は、請求項１１に記載の制御方法において、
前記第２の後処理モードが選択された場合に、前記複数のファイルそれぞれに予め設定されている後処理条件に対して、後処理条件の追加又は変更を行う後処理追加変更工程を含み、
前記制御工程では、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行うことを特徴とする。
【００２０】
請求項１４に記載の発明は、
画像データと当該画像データを出力する際の後処理条件とを含むファイルを保存する保存手段から結合すべき複数のファイルを読み出す読み出し工程と、
前記複数のファイルを結合する結合工程と、
前記結合されたファイルに応じて記録媒体に画像形成を行う画像形成工程と、
前記複数のファイルそれぞれに対して、各ファイルに予め設定されている後処理条件との関係において予め追加が許可されている後処理条件のみを前記複数のファイル全体に対して追加可能とする後処理追加工程と、
前記画像形成が行われた記録媒体に後処理を施す際に、前記複数のファイルそれぞれに予め設定されている後処理条件と前記複数のファイル全体に対して追加された後処理条件とに基づいて後処理を施すよう後処理制御を行う制御工程と、
を含むことを特徴とする制御方法である。
【００２１】
請求項１５に記載の発明は、
画像データと当該画像データを出力する際の後処理条件とを含むファイルを保存する保存手段から結合すべき複数のファイルを読み出す読み出し工程と、
前記複数のファイルを結合する結合工程と、
前記結合されたファイルに応じて記録媒体に画像形成を行う画像形成工程と、
前記複数のファイルそれぞれに予め設定されている後処理条件に対して、後処理条件の追加又は変更を行う後処理追加変更工程と、
前記画像形成が行われた記録媒体に後処理を施す際に、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行う制御工程と、
を含むことを特徴とする制御方法である。
【００２２】
請求項１６に記載の発明は、請求項１０〜１５のいずれか一項に記載の制御方法において、
画像データと当該画像データを出力する際の後処理条件とを含むファイルを保存手段に保存する保存工程を含むことを特徴とする。
【００２３】
請求項１７に記載の発明は、
コンピュータに、
画像データと当該画像データを出力する際の後処理条件とを含むファイルを保存する保存手段から結合すべき複数のファイルを読み出す読み出し機能と、
前記複数のファイルを結合する結合機能と、
前記結合されたファイルに応じて記録媒体に画像形成を行う画像形成機能と、
前記複数のファイルそれぞれに予め設定されている後処理条件を無効とし、前記複数のファイル全体に対して新たに設定した後処理条件に基づいて後処理を施す第１の後処理モード、又は前記複数のファイルそれぞれに予め設定されている後処理条件に基づいてファイル毎に後処理を施す第２の後処理モードに応じて前記画像形成が行われた記録媒体への後処理制御を行う制御機能と、
を実現させるためのプログラムである。
【００２４】
請求項１８に記載の発明は、請求項１７に記載のプログラムにおいて、
前記コンピュータに、
前記第１の後処理モード又は第２の後処理モードをユーザに選択させるモード選択機能と、
前記選択されたモードに応じて後処理条件を決定する後処理決定機能と、
を実現させることを特徴とする。
【００２５】
請求項１９に記載の発明は、請求項１８に記載のプログラムにおいて、
前記コンピュータに、
前記第２の後処理モードが選択された場合に、前記複数のファイルそれぞれに対して、各ファイルに予め設定されている後処理条件との関係において予め追加が許可されている後処理条件のみを前記複数のファイル全体に対して追加可能とする後処理追加機能を実現させ、
前記制御機能を実現させる際に、前記複数のファイルそれぞれに予め設定されている後処理条件と前記複数のファイル全体に対して追加された後処理条件とに基づいて後処理を施すよう後処理制御を行うことを特徴とする。
【００２６】
請求項２０に記載の発明は、請求項１８に記載のプログラムにおいて、
前記コンピュータに、
前記第２の後処理モードが選択された場合に、前記複数のファイルそれぞれに予め設定されている後処理条件に対して、後処理条件の追加又は変更を行う後処理追加変更機能を実現させ、
前記制御機能を実現させる際に、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行うことを特徴とする。
【００２７】
請求項２１に記載の発明は、
コンピュータに、
画像データと当該画像データを出力する際の後処理条件とを含むファイルを保存する保存手段から結合すべき複数のファイルを読み出す読み出し機能と、
前記複数のファイルを結合する結合機能と、
前記結合されたファイルに応じて記録媒体に画像形成を行う画像形成機能と、
前記複数のファイルそれぞれに対して、各ファイルに予め設定されている後処理条件との関係において予め追加が許可されている後処理条件のみを前記複数のファイル全体に対して追加可能とする後処理追加機能と、
前記画像形成が行われた記録媒体に後処理を施す際に、前記複数のファイルそれぞれに予め設定されている後処理条件と前記複数のファイル全体に対して追加された後処理条件とに基づいて後処理を施すよう後処理制御を行う制御機能と、
を実現させるためのプログラムである。
【００２８】
請求項２２に記載の発明は、
コンピュータに、
画像データと当該画像データを出力する際の後処理条件とを含むファイルを保存する保存手段から結合すべき複数のファイルを読み出す読み出し機能と、
前記複数のファイルを結合する結合機能と、
前記結合されたファイルに応じて記録媒体に画像形成を行う画像形成機能と、
前記複数のファイルそれぞれに予め設定されている後処理条件に対して、後処理条件の追加又は変更を行う後処理追加変更機能と、
前記画像形成が行われた記録媒体に後処理を施す際に、後処理条件が追加又は変更されたファイルに対しては当該追加又は変更された後処理条件に基づいて後処理を施し、後処理条件が追加又は変更されていないファイルに対しては予め設定されている後処理条件に基づいて後処理を施すよう後処理制御を行う制御機能と、
を実現させるためのプログラムである。
【００２９】
請求項２３に記載の発明は、請求項１７〜２２のいずれか一項に記載のプログラムにおいて、
前記コンピュータに、
画像データと当該画像データを出力する際の後処理条件とを含むファイルを保存手段に保存する保存機能を実現させることを特徴とする。
【発明の効果】
【００３０】
請求項１、１０、１７に記載の発明によれば、複数のファイルを結合して出力する際に、ユーザの意図に沿った後処理を実行することができる。
【００３１】
請求項２、３、１１、１８に記載の発明によれば、第１の後処理モード又は第２の後処理モードを選択することにより、複数のファイルを結合して出力する際に、ユーザの意図に沿った後処理を実行することができる。
【００３２】
請求項４、１２、１９に記載の発明によれば、結合されるファイルそれぞれに対して、各ファイルに予め設定されている後処理条件との関係において予め追加が許可されていない後処理条件については、ファイル全体に対して追加することを防止することができる。
【００３３】
請求項５、１３、２０に記載の発明によれば、結合されるファイルそれぞれに予め設定されている後処理条件に対して、後処理条件の追加又は変更を行うことにより、ユーザの意図に沿った後処理を実行することができる。
【００３４】
請求項６、１４、２１に記載の発明によれば、複数のファイルを結合して出力する際に、ファイル全体に対して後処理条件を追加することができるので、ユーザの意図に沿った後処理を実行することができる。
【００３５】
請求項７、１５、２２に記載の発明によれば、複数のファイルを結合して出力する際に、結合されるファイルそれぞれに予め設定されている後処理条件に対して、後処理条件の追加又は変更を行うことにより、ユーザの意図に沿った後処理を実行することができる。
【００３６】
請求項８、９に記載の発明によれば、不揮発性メモリに保存されているファイルを結合して出力する際に、ユーザの意図に沿った後処理を実行することができる。
【００３７】
請求項１６、２３に記載の発明によれば、画像データと当該画像データを出力する際の後処理条件とを含むファイルを保存手段に保存することができる。
【発明を実施するための最良の形態】
【００３８】
［第１の実施の形態］
まず、本発明の第１の実施の形態における画像形成装置１について詳細に説明する。
図１に、画像形成装置１の断面構成を示す。
図１に示すように、画像形成装置１は、画像読取部２０、操作部３０、プリンタ部４０、給紙ユニット５０、後処理ユニット６０、ハードディスク（Hard Disk Drive）８０を備えて構成される。
【００３９】
画像読取部２０は、自動紙送り機構であるＡＤＦ（Auto Document Feeder）部２１、スキャナ部２２を備えて構成される。ＡＤＦ部２１は、原稿台に載置された原稿を搬送してスキャナ部２２に送り出し、スキャナ部２２は、搬送された原稿を光走査してＣＣＤラインイメージセンサにより光電変換して原稿画像を読み取る。
【００４０】
画像読取部２０により読み取られた原稿画像データには、各種画像処理が施され、印刷用画像データとしてプリンタ部４０に出力される。
【００４１】
操作部３０は、表示部３１と、表示部３１を覆うように設けられたタッチパネルと、数字釦、印刷開始を指示するためのスタート釦等の各種機能釦とから構成される。表示部３１は、ＬＣＤ（Liquid Crystal Display）により構成され、ファイルの読み出し又は保存を行う際の読み出し先又は保存先選択画面等の各種操作画面や、各種処理結果を表示する。
【００４２】
プリンタ部４０は、電子写真方式により記録媒体である印刷用紙に画像形成を行うものであり、給紙ユニット５０から給紙された印刷用紙を搬送する搬送機構４１、印刷用紙に画像形成を行う画像形成部４２から構成される。画像形成部４２は、像担持体である感光ドラム、感光ドラムの帯電を行う帯電部、画像データに基づいて感光ドラム表面に露光走査する露光部、感光ドラムにトナーを付着させる現像部、感光ドラム上に形成されたトナー像を印刷用紙に転写する転写部、感光ドラム上の残トナーを除去するクリーニング部、印刷用紙上に形成されたトナー像を定着させる定着部から構成される。
【００４３】
給紙ユニット５０は、給紙トレイ５１〜５４の４つの給紙トレイを備えて構成される。なお、ここでは４つの給紙トレイを備えることとしたが、その数は特に限定しない。各給紙トレイ５１〜５４には、普通紙、裏紙、再生紙、上質紙等の用紙種及びサイズが異なる印刷用紙を収容することが可能である。
【００４４】
後処理ユニット６０は、画像形成された印刷用紙にソート処理、パンチ（穴開け）処理、ステープル処理、折り処理（中折り、三つ折り、四つ折り、観音折り、Ｚ折り）等の各種後処理を施し、小冊子の作成や製本を行うことが可能である。
【００４５】
ハードディスク８０には、画像形成装置１において出力された画像データと当該画像データを出力する際の後処理条件とを含むファイルが保存されている。図２に示すように、ハードディスク８０の記憶構造は階層構造を有し、ユーザ層、ＢＯＸ層、ファイル層の３階層の構造となっている。階層の最上位にあるルートディレクトリの直下には、ユーザ層として、ユーザ毎に分類されたフォルダが作成される。ユーザ層の下位階層には、ＢＯＸ層として、ユーザ毎に１又は複数のフォルダが作成される。ＢＯＸ層の下位階層には、ファイル層として、画像データファイルが格納される。なお、ハードディスク８０に保存されているファイルは、画像形成装置１において出力済のファイルに限定されず、入力のみされ、出力されていないファイルであってもよい。
【００４６】
図３（ａ）に、ハードディスク８０に保存されているファイルの構成を示す。図３（ａ）に示すように、ファイルは、ＪＯＢヘッダー、ＰＡＧＥヘッダー、画像データにより構成される。ＰＡＧＥヘッダー及び画像データは、ページ毎に対応付けられている。
【００４７】
ＪＯＢヘッダーには、印刷するためのＪＯＢ全体に関わる設定情報が記録されている。図３（ｂ）に、ＪＯＢヘッダーに記録されている設定情報を示す。ＪＯＢヘッダーに記録されている設定情報には、例えば、出力部数、解像度、排紙先、原稿枚数、後処理条件等が含まれる。後処理条件としては、ステープルモード（ＯＮ／ＯＦＦ）、ステープル位置（１箇所左／１箇所右／２箇所左／２箇所右／２箇所上）、パンチモード（ＯＦＦ／２穴／３穴／４穴）、パンチ位置（左／右／上）、折りモード（ＯＦＦ／中折り／三つ折り／四つ折り／観音折り／Ｚ折り）等が設定されている。
【００４８】
ＰＡＧＥヘッダーには、印刷するためのページ毎の設定情報が記録されている。図３（ｃ）に、ＰＡＧＥヘッダーに記録されている設定情報を示す。ＰＡＧＥヘッダーに記録されている設定情報には、紙サイズ、トレイ、画像位置、出力濃度等が含まれる。
【００４９】
次に、図４を参照して、画像形成装置１の内部構成を説明する。
図４に示すように、画像形成装置１は、制御部１０、画像読取部２０、操作部３０、プリンタ部４０、給紙ユニット５０、後処理ユニット６０、プリントコントローラ部７０、ハードディスク８０から構成される。なお、図１で説明した各部と同一の構成部には、同一の符号を付してその説明を省略することとする。
【００５０】
制御部１０は、画像制御部１１、プログラムメモリ１２、ＲＡＭ（Random Access Memory）１３、記憶部１４、読取処理部１５、ＤＲＡＭ制御ＩＣ１６、画像メモリ１７、書込処理部１８、ハードディスク処理部１９から構成される。
【００５１】
画像制御部１１は、ＣＰＵ（Central Processing Unit）等から構成され、プログラムメモリ１２に格納されている各種処理プログラムを読み出して、当該プログラムとの協働により画像形成装置１の各部の処理動作を統括的に制御する。
【００５２】
画像制御部１１は、後処理全体設定モード又は後処理個別設定モードに応じて後処理制御を行う。後処理全体設定モードとは、結合される複数のファイルそれぞれに予め設定されている後処理条件を無効とし、複数のファイル全体に対して新たに設定した後処理条件に基づいて後処理を施すモードである。後処理個別設定モードとは、結合される複数のファイルそれぞれに予め設定されている後処理条件に基づいてファイル毎に後処理を施すモードである。
【００５３】
プログラムメモリ１２は、画像形成装置１の印刷に係る各種処理プログラム等を記憶する。
【００５４】
ＲＡＭ１３は、画像制御部１１により実行される各種プログラム及びこれらプログラムに係るデータを一時的に記憶するワークエリアを形成する。
【００５５】
記憶部１４は、不揮発性メモリ等から構成され、各種データを記憶する。
【００５６】
読取処理部１５は、画像読取部２０のスキャナ部２２から入力されるアナログ画像信号に、シェーディング補正処理、Ａ／Ｄ変換処理を行ってデジタル画像データを生成する。生成された画像データは、ＤＲＡＭ制御ＩＣ１６に出力される。
【００５７】
ＤＲＡＭ制御ＩＣ１６は、画像制御部１１からの指示に従って、画像データに圧縮／伸長処理を施すとともに、画像メモリ１７への画像データの入出力制御を行う。例えば、ＤＲＡＭ制御ＩＣ１６は、画像データの読み取りが指示されると、読取処理部１５から入力された画像データに圧縮処理を施して、画像メモリ１７の圧縮メモリ１７ａに格納させる。また、ＤＲＡＭ制御ＩＣ１６は、画像データの印刷出力が指示されると、圧縮メモリ１７ａから圧縮画像データを読み出し、伸長処理を施して書込処理部１８に出力する。
【００５８】
画像メモリ１７は、ＤＲＡＭ（Dynamic RAM）から構成され、圧縮メモリ１７ａを備える。圧縮メモリ１７ａは、圧縮画像データを格納するためのメモリである。
【００５９】
書込処理部１８は、ＤＲＡＭ制御ＩＣ１６から入力された画像データに基づいて、画像形成のための印刷データを生成し、プリンタ部４０に出力する。
【００６０】
ハードディスク処理部１９は、画像データの読み出し／保存、フォルダの作成等、ハードディスク８０にアクセスするための規定のシーケンス（ＩＤＥ：Integrated Drive Electronics等）を制御する。ハードディスク処理部１９は、画像データのハードディスク８０への保存が指示されると、ＤＲＡＭ制御ＩＣ１６に画像メモリ１７の圧縮メモリ１７ａに格納された圧縮画像データを読み出させ、読み出された圧縮画像データをハードディスク８０へ保存させる。また、ハードディスク処理部１９は、画像データのハードディスク８０からの読み出しが指示されると、ハードディスク８０に格納された圧縮画像データを読み出し、読み出された圧縮画像データを画像メモリ１７の圧縮メモリ１７ａに格納させる。
【００６１】
画像読取部２０は、ＡＤＦ部２１、スキャナ部２２、読取制御部２３から構成される。読取制御部２３は、画像制御部１１からの指示に従って、ＡＤＦ部２１、スキャナ部２２を制御して原稿面の光走査を実行させ、読み取られたアナログ画像信号を制御部１０の読取処理部１５に出力する。
【００６２】
操作部３０は、表示部３１と一体型に構成されるタッチパネル、各種機能釦、操作部制御部３２から構成される。操作部制御部３２は、各種機能釦又はタッチパネルにより操作された操作信号を画像制御部１１に出力する。また、操作部制御部３２は、画像制御部１１からの指示に従って、表示部３１に各種操作画面や、各種処理結果を表示させる。操作部３０は、表示部３１に表示されるファイル名選択画面３１７（図１６参照）において、後処理全体設定モード釦ｆ５、後処理個別設定モード釦ｆ６のいずれかを選択するためのモード選択手段である。
【００６３】
プリンタ部４０は、画像形成部４２等の印刷に係る各部やプリンタ制御部４３を備えて構成される。プリンタ制御部４３は、画像制御部１１からの指示に従って、プリンタ部４０の各部の動作を制御し、書込処理部１８から入力された画像データに基づいて印刷用紙に画像形成を行わせる。
【００６４】
給紙ユニット５０は、図１に示した給紙トレイ５１〜５４を備えて構成される。また、後処理ユニット６０は、プリンタ部４０から出力された画像形成後の印刷用紙に各種後処理を施す。
【００６５】
プリントコントローラ部７０は、ＬＡＮ（Local Area Network）等の通信回線を介して外部のＰＣ（Personal Computer）から受信した画像データを画像形成可能なデータに変換し、ＤＲＡＭ制御ＩＣ１６に出力する。
【００６６】
次に、第１の実施の形態における動作を説明する。
まず、図５を参照して、画像形成装置１により実行されるファイル保存処理を説明する。ファイル保存処理は、画像データを画像形成装置１のハードディスク８０に保存させる処理であって、画像制御部１１のＣＰＵと、プログラムメモリ１２に格納されているプログラムとの協働により実現される。なお、保存させる画像データは、画像読取部２０及び読取処理部１５により得られたものでも、外部ＰＣ等からネットワーク等を介して入力されたものでもよい。
【００６７】
図５に示すように、まず、操作部３０の表示部３１に表示された操作画面において、ユーザにより保存釦が選択されると（ステップＳ１）、ハードディスク８０からユーザ層のフォルダ（以下、ユーザフォルダという。）の名称であるユーザ名が取得され、表示部３１にユーザ名一覧が表示される（ステップＳ２）。図６に、ユーザ名選択画面３１１（ユーザ名一覧）の表示例を示す。
【００６８】
ここで、ユーザ名が新規登録されない場合には（ステップＳ３；ＮＯ）、ユーザ名選択画面３１１において、ユーザによりユーザ名一覧の中からいずれかのユーザ名（例えば「ＫＫＫＫＫ」ａ１）が選択され（ステップＳ４）、ＯＫ釦ａ２が押下される。すると、ハードディスク８０から、選択されたユーザ名のユーザフォルダの下位階層のフォルダ（以下、ＢＯＸフォルダという。）の名称であるＢＯＸ名が取得され、表示部３１にＢＯＸ名一覧が表示される（ステップＳ５）。図７に、ＢＯＸ名選択画面３１２（ＢＯＸ名一覧）の表示例を示す。図７は、ユーザフォルダ「ＫＫＫＫＫ」の下位階層のＢＯＸフォルダ「ＢＯＸ_11」、「ＢＯＸ_12」、「ＢＯＸ_13」が表示されている例である。
【００６９】
ＢＯＸ名選択画面３１２において、ＢＯＸ名が新規登録されない場合には（ステップＳ６；ＮＯ）、ユーザによりＢＯＸ名一覧の中からいずれかのＢＯＸ名（例えば「ＢＯＸ_11」ｂ１）が選択され（ステップＳ７）、ＯＫ釦ｂ２が押下される。すると、表示部３１に、画像データのファイル名入力画面３１３が表示される（ステップＳ８）。図８に示すファイル名入力画面３１３は、ユーザフォルダ「ＫＫＫＫＫ」の下位階層のＢＯＸフォルダ「ＢＯＸ_11」に画像データを保存する場合の例である。ファイル名入力画面３１３において、ファイル名が入力され（ステップＳ９）、ＯＫ釦ｃ１が押下されると、表示部３１に、図９に示すような読み込み画面３１４が表示される。読み込み画面３１４にて読み込み条件が設定され、操作部３０のスタート釦が押下されることにより、設定された読み込み条件に基づいて画像読取部２０により画像の読み込みが行われ、ステップＳ９で入力されたファイル名で画像データがハードディスク８０に保存される（ステップＳ１０）。ここで、画像データは、当該画像データを出力する際の後処理条件とともに保存される。
【００７０】
ステップＳ３において、ユーザ名を新規に登録する場合には（ステップＳ３；ＹＥＳ）、図６に示すユーザ名選択画面３１１において新規登録釦ａ３が押下され、表示部３１に、ユーザ名入力画面が表示される。そして、ユーザ名入力画面において、新規ユーザ名が登録される（ステップＳ１１）。次に、表示部３１に、ＢＯＸ名入力画面が表示され、新規ＢＯＸ名が登録される（ステップＳ１２）。そして、ステップＳ８に移行する。
【００７１】
ステップＳ６において、ＢＯＸ名を新規に登録する場合には（ステップＳ６；ＹＥＳ）、図７に示すＢＯＸ名選択画面３１２において新規登録釦ｂ３が押下され、表示部３１に、ＢＯＸ名入力画面が表示される。そして、ＢＯＸ名入力画面において、新規ＢＯＸ名が登録され（ステップＳ１２）、ステップＳ８に移行する。
以上で、ファイル保存処理が終了する。
【００７２】
次に、図１０を参照して、画像形成装置１により実行されるファイル結合処理Ａを説明する。ファイル結合処理Ａは、ハードディスク８０から複数のファイルを読み出し、ファイルを結合させる処理であって、画像制御部１１のＣＰＵと、プログラムメモリ１２に格納されているプログラムとの協働により実現される。
【００７３】
図１０に示すように、まず、操作部３０の表示部３１に表示された操作画面において、ユーザにより読み出し釦が選択されると（ステップＳ２１）、ファイル選択処理が行われる（ステップＳ２２）。
【００７４】
図１１は、ファイル選択処理を示すフローチャートである。
図１１に示すように、まず、ハードディスク８０からユーザ名が取得され、表示部３１にユーザ名一覧が表示される（ステップＳ４１）。図１２に、ユーザ名選択画面３１５（ユーザ名一覧）の表示例を示す。
【００７５】
ユーザ名選択画面３１５において、ユーザによりユーザ名一覧の中からいずれかのユーザ名（例えば「ＤＤＤＤＤ」ｄ１）が選択され（ステップＳ４２）、ＯＫ釦ｄ２が押下されると、選択されたユーザ名のユーザフォルダの下位階層のＢＯＸ名が取得され、表示部３１にＢＯＸ名一覧が表示される（ステップＳ４３）。図１３に、ＢＯＸ名選択画面３１６（ＢＯＸ名一覧）の表示例を示す。図１３は、ユーザフォルダ「ＤＤＤＤＤ」の下位階層のＢＯＸフォルダ「ＢＯＸ_11」、「ＢＯＸ_12」、「ＢＯＸ_13」が表示されている例である。
【００７６】
ＢＯＸ名選択画面３１６において、ユーザによりＢＯＸ名一覧の中からいずれかのＢＯＸ名（例えば「ＢＯＸ_11」ｅ１）が選択され（ステップＳ４４）、ＯＫ釦ｅ２が押下されると、ハードディスク８０から、選択されたＢＯＸ名のＢＯＸフォルダに格納されているファイル名が取得され、表示部３１に、ファイル名一覧が表示される（ステップＳ４５）。図１４に、ファイル名選択画面３１７（ファイル名一覧）の表示例を示す。ファイル名選択画面３１７において、ユーザによりファイル名一覧の中から読み出し対象となるファイル名（ここでは「ＦＩＬＥ１」ｆ１）が選択され、矢印釦ｆ２が押下されると（ステップＳ４６）、図１５に示すように、「ＦＩＬＥ１」が選択された状態になる。ここで、ファイルの選択を終了しない場合には（ステップＳ４７；ＮＯ）、さらに、ファイル名選択画面３１７において、ファイル名一覧の中から読み出し対象となるファイル名（ここでは「ＦＩＬＥ３」ｆ３）が選択され、矢印釦ｆ２が押下される（ステップＳ４６）。すると、図１６に示すように、「ＦＩＬＥ１」、「ＦＩＬＥ３」が選択された状態になる。ステップＳ４７において、ファイルの選択を終了する場合には（ステップＳ４７；ＹＥＳ）、図１０に示すファイル結合処理ＡのステップＳ２３へ移行する。
【００７７】
次いで、図１０に戻り、ハードディスク８０から、選択されたファイルが画像メモリ１７に読み出され（ステップＳ２３）、画像メモリ１７からＪＯＢヘッダーに記録されている設定情報がＲＡＭ１３に読み出される（ステップＳ２４）。
【００７８】
次に、ファイル名選択画面３１７において、ファイル結合が選択されているか否かが判断される（ステップＳ２５）。図１６に示すファイル名選択画面３１７は、ファイル結合釦ｆ４が選択されている状態を示している。
【００７９】
ファイル結合が選択されている場合には（ステップＳ２５；ＹＥＳ）、後処理全体設定モードが選択されているか否かが判断される（ステップＳ２６）。図１６に示すファイル名選択画面３１７においてファイル結合が選択されている場合には、後処理全体設定モード釦ｆ５か後処理個別設定モード釦ｆ６が選択される。後処理全体設定モードが選択された場合には（ステップＳ２６；ＹＥＳ）、選択された各ファイルの後処理条件が無効とされる（ステップＳ２７）。具体的には、ＲＡＭ１３に読み出されたＪＯＢヘッダーの設定情報について、各ファイルの後処理条件が無効に設定される。例えば、図３（ｂ）に示すＪＯＢヘッダーの設定情報のうち、ステープルモード、パンチモード、折りモード等、全ての後処理がＯＦＦに設定される。
【００８０】
次に、表示部３１に出力設定画面（図２４参照）が表示され（ステップＳ２８）、出力設定画面において、複数のファイル全体に対して新たに後処理条件が設定される（ステップＳ２９）。具体的には、ステップＳ２７において、ＲＡＭ１３に読み出されたＪＯＢヘッダーの設定情報の後処理条件が一旦ＯＦＦに設定されているが、新たに選択された後処理条件に基づいてＲＡＭ１３の情報が上書きされる。ここで上書きされた出力設定情報は、画像制御部１１によって読み出され、プリンタ制御部４３を介して後処理ユニット６０に通知される。
【００８１】
そして、画像形成部４２により画像形成が行われ（ステップＳ３０）、後処理ユニット６０により、複数のファイル全体に対して設定された後処理条件に基づいて後処理が実施される（ステップＳ３１）。
【００８２】
ステップＳ２６において、後処理全体設定モードが選択されない場合には（ステップＳ２６；ＮＯ）、後処理個別設定モードが選択される（ステップＳ３２）。この場合、画像形成部４２により画像形成が行われ（ステップＳ３３）、後処理ユニット６０により、ファイル毎に予め設定されている後処理条件に基づいて後処理が実施される（ステップＳ３４）。
【００８３】
ステップＳ２５において、ファイル結合が選択されていない場合には（ステップＳ２５；ＮＯ）、イメージ結合が選択されている（ステップＳ３５）。イメージ結合が選択されている場合には、各ファイルに設定されている後処理条件にかかわらず、画像だけが合成されて出力される。したがって、画像形成部４２により画像形成が行われ（ステップＳ３６）、後処理は行われずに出力される。
【００８４】
図１７（ａ）に、ファイル結合を行う対象として選択されたファイルの例を示す。ＦＩＬＥ１は後処理無しに設定され、ＦＩＬＥ３は後処理条件としてステープルが設定され、ＦＩＬＥ５は後処理条件としてパンチが設定されている。後処理全体設定モードが選択されると、出力設定画面（図２４参照）が表示され、ここで選択された後処理がファイル全体に対する後処理となる。図１７（ｂ）に、後処理全体設定モードが選択され、選択されたファイル全体に対してステープルが設定された場合の出力イメージを示す。それぞれのファイルに対して予め設定されていた後処理条件は無効とされ、ＦＩＬＥ１、ＦＩＬＥ３、ＦＩＬＥ５に対して一括してステープル処理が実施される。また、図１７（ｃ）に、後処理個別設定モードが選択された場合の出力イメージを示す。ＦＩＬＥ１、ＦＩＬＥ３、ＦＩＬＥ５のそれぞれの後処理条件に基づいて、ファイル毎に後処理が実施される。
【００８５】
以上、説明したように、画像形成装置１によれば、複数のファイルそれぞれの後処理条件を無効として、ファイル全体に対して新たな後処理条件を設定する場合と、複数のファイルそれぞれの後処理条件を維持した状態で出力する場合と、を選択することができるので、複数のファイルを結合して出力する際に、ユーザの意図に沿った後処理を実行することができる。
【００８６】
なお、第１の実施の形態では、結合する複数のファイルを選択した後に、ファイル結合が選択されているか否かの判断（ステップＳ２５）、後処理全体設定モードと後処理個別設定モードのいずれが選択されているかの判断（ステップＳ２６）、及び、後処理全体設定モードが選択された際のファイル全体に対する後処理条件の設定（ステップＳ２９）を行うこととしたが、これらの処理を図１１に示すファイル選択処理におけるステップＳ４５〜Ｓ４７の処理の間で行うこととしてもよい。
【００８７】
［第２の実施の形態］
次に、本発明を適用した第２の実施の形態について説明する。
第２の実施の形態における画像形成装置は、第１の実施の形態に示した画像形成装置１と同様の構成であるため、同一の構成部分については同一の符号を付し、その構成については図示及び説明を省略する。以下、第２の実施の形態に特徴的な構成及び処理について説明する。
【００８８】
画像制御部１１は、さらに、後処理個別設定モードが選択された場合に、複数のファイルそれぞれに対して、各ファイルに予め設定されている後処理条件との関係において予め追加が許可されている後処理条件のみを複数のファイル全体に対して追加可能とし、複数のファイルそれぞれに予め設定されている後処理条件と複数のファイル全体に対して追加された後処理条件とに基づいて後処理を施すよう後処理制御を行う。予め追加が許可されている後処理条件とは、各ファイルそれぞれに予め設定されている後処理条件に基づく後処理と合わせて実施した場合に、各ファイルそれぞれに予め設定されているいずれの後処理も有効に実施することが可能な後処理条件である。各ファイルに予め設定されている後処理条件と、追加が許可されていない後処理条件との組み合わせとして、例えば、ステープル左とステープル右、ステープル左（又はステープル右）とステープル上、ステープル１箇所とステープル２箇所、パンチ左とパンチ右、パンチ左（又はパンチ右）とパンチ上、折りモードの相違（中折り、三つ折り、四つ折り、観音折り、Ｚ折り）等が挙げられる。
【００８９】
図１８に、各ファイルの後処理設定に対して、ファイル全体に後処理を追加することができるか否かを示す判断テーブルを示す。判断テーブル内の「○」は後処理の追加が可能な場合、「×」は後処理の追加が不可能な場合を示している。判断テーブルを参照して、全てのファイルに対して、その後処理の追加が許可されている場合に、後処理を追加することができる。なお、判断テーブルは、記憶部１４に記憶されている。
【００９０】
図１９を参照して、第２の実施の形態における画像形成装置により実行されるファイル結合処理Ｂを説明する。ファイル結合処理Ｂは、ハードディスク８０から複数のファイルを読み出し、ファイルを結合させる処理であって、画像制御部１１のＣＰＵと、プログラムメモリ１２に格納されているプログラムとの協働により実現される。
【００９１】
図１９に示すように、まず、操作部３０の表示部３１に表示された操作画面において、ユーザにより読み出し釦が選択されると（ステップＳ５１）、ファイル選択処理が行われる（ステップＳ５２）。ファイル選択処理については、第１の実施の形態で説明したファイル選択処理（図１１参照）と同様であるため、説明を省略する。また、ステップＳ５３〜Ｓ６１についても、図１０のステップＳ２３〜Ｓ３１と同様であるため、説明を省略する。
【００９２】
ステップＳ５６において、後処理全体設定モードが選択されない場合には（ステップＳ５６；ＮＯ）、後処理個別設定モードが選択される（ステップＳ６２）。この場合、表示部３１に出力設定画面（図２４参照）が表示され（ステップＳ６３）、選択された複数のファイル全体に対して後処理条件が追加される（ステップＳ６４）。そして、追加された後処理条件が、全てのファイルそれぞれに対して、各ファイルに予め設定されている後処理条件との関係において予め追加が許可されているか否かが記憶部１４に記憶されている図１８の判断テーブルに基づき判断される（ステップＳ６５）。例えば、「ステープル左」が設定されているファイルが存在する場合に、全体として「ステープル右」を追加設定したときには、左と右とにステープルはできないので、追加が許可されないことになる。
【００９３】
追加された後処理条件がいずれかのファイルに対して追加が許可されていない場合には（ステップＳ６５；ＮＯ）、表示部３１に追加が許可されていない後処理条件が表示され（ステップＳ６６）、追加された後処理条件が解除される（ステップＳ６７）。そして、ステップＳ６３に戻る。
【００９４】
ステップＳ６５において、追加された後処理条件が全てのファイルそれぞれに対して追加が許可されている場合には（ステップＳ６５；ＹＥＳ）、ＲＡＭ１３に読み出された各ファイルのＪＯＢヘッダーの設定情報の後処理条件に対して、新たに追加された後処理条件が追加され、ＲＡＭ１３の情報が上書きされる。ここで上書きされた出力設定情報は、画像制御部１１によって読み出され、プリンタ制御部４３を介して後処理ユニット６０に通知される。
【００９５】
次に、画像形成部４２により画像形成が行われ（ステップＳ６８）、後処理ユニット６０により、ファイル全体に追加された後処理条件とファイル毎に予め設定されている後処理条件とに基づいて後処理が実施される（ステップＳ６９）。
【００９６】
ステップＳ５５において、ファイル結合が選択されていない場合には（ステップＳ５５；ＮＯ）、イメージ結合が選択されており（ステップＳ７０）、画像形成部４２により画像形成が行われ（ステップＳ７１）、後処理は行われずに出力される。
【００９７】
以上、説明したように、第２の実施の形態の画像形成装置によれば、後処理個別設定モードが選択された場合に、複数のファイル全体に対して後処理条件を追加可能とするので、ユーザの意図に沿った後処理を実行することができる。また、結合されるファイルそれぞれに対して、各ファイルに予め設定されている後処理条件との関係において予め追加が許可されていない後処理条件については、ファイル全体に対して追加することを防止することができる。
【００９８】
［第３の実施の形態］
次に、本発明を適用した第３の実施の形態について説明する。
第３の実施の形態における画像形成装置は、第１の実施の形態に示した画像形成装置１と同様の構成であるため、同一の構成部分については同一の符号を付し、その構成については図示及び説明を省略する。以下、第３の実施の形態に特徴的な構成及び処理について説明する。
【００９９】
画像制御部１１は、さらに、後処理個別設定モードが選択された場合に、複数のファイルそれぞれに予め設定されている後処理条件に対して、後処理条件の追加又は変更を可能とし（図２１参照）、後処理条件が追加又は変更されたファイルに対しては追加又は変更された後処理条件に基づいて後処理を施し、後処理条件が追加又は変更されていないファイルに対しては予め設定されている後処理条件に基づいて後処理を施すよう後処理制御を行う。
【０１００】
図２０を参照して、第３の実施の形態における画像形成装置により実行されるファイル結合処理Ｃを説明する。ファイル結合処理Ｃは、ハードディスク８０から複数のファイルを読み出し、ファイルを結合させる処理であって、画像制御部１１のＣＰＵと、プログラムメモリ１２に格納されているプログラムとの協働により実現される。
【０１０１】
図２０に示すように、まず、操作部３０の表示部３１に表示された操作画面において、ユーザにより読み出し釦が選択されると（ステップＳ８１）、ファイル選択処理が行われる（ステップＳ８２）。ファイル選択処理については、第１の実施の形態で説明したファイル選択処理（図１１参照）と同様であるため、説明を省略する。また、ステップＳ８３〜Ｓ９１についても、図１０のステップＳ２３〜Ｓ３１と同様であるため、説明を省略する。
【０１０２】
ステップＳ８６において、後処理全体設定モードが選択されない場合には（ステップＳ８６；ＮＯ）、後処理個別設定モードが選択される（ステップＳ９２）。そして、設定変更処理が行われる（ステップＳ９３）。
【０１０３】
図２１は、設定変更処理を示すフローチャートである。
図２１に示すように、まず、ユーザにより、結合されるファイルの中から設定変更の対象となるファイルが選択される（ステップＳ１０１）。例えば、図２２に示すファイル名選択画面３１８において、設定変更の対象となるファイル（ここでは「ＦＩＬＥ５」ｇ１）が選択される。
【０１０４】
次に、ファイル名選択画面３１８において、設定変更釦ｇ２が押下されると（ステップＳ１０２）、表示部３１に設定変更画面３１９が表示される（ステップＳ１０３）。図２３に、設定変更画面３１９の表示例を示す。設定変更画面３１９において、出力設定釦ｈ１が押下されると（ステップＳ１０４）、表示部３１に出力設定画面３２０が表示される（ステップＳ１０５）。図２４に、出力設定画面３２０の表示例を示す。
【０１０５】
次に、出力設定画面３２０において、後処理条件の追加又は変更が実施され、ＯＫ釦ｉ１が押下されると（ステップＳ１０６）、ＲＡＭ１３に読み出された各ファイルのＪＯＢヘッダーの設定情報の後処理条件に対して、追加又は変更された後処理条件に基づいて、ＲＡＭ１３の情報が上書きされる。ここで上書きされた出力設定情報は、画像制御部１１によって読み出され、プリンタ制御部４３を介して後処理ユニット６０に通知される。
【０１０６】
そして、表示部３１に、図２３に示す設定変更画面３１９が表示され（ステップＳ１０７）、設定変更画面３１９において、閉じる釦ｈ２が押下されると（ステップＳ１０８）、表示部３１に、図２２に示すファイル名選択画面３１８（ファイル名一覧）が表示される（ステップＳ１０９）。ファイル名選択画面３１８において、ＯＫ釦ｇ３が押下されない場合には（ステップＳ１１０；ＮＯ）、ステップＳ１０１に戻り、他のファイルに対して設定変更が繰り返される。ファイル名選択画面３１８において、ＯＫ釦ｇ３が押下されると（ステップＳ１１０；ＹＥＳ）、図２０に示すファイル結合処理ＣのステップＳ９４に移行する。
【０１０７】
図２０に戻り、画像形成部４２により画像形成が行われる（ステップＳ９４）。そして、後処理条件が追加又は変更されたファイルについては、後処理ユニット６０により、追加又は変更された後処理条件に基づいて後処理が実施され、後処理条件が追加又は変更されていないファイルについては、予め設定されている後処理条件に基づいて後処理が実施される（ステップＳ９５）。
【０１０８】
ステップＳ８５において、ファイル結合が選択されていない場合には（ステップＳ８５；ＮＯ）、イメージ結合が選択されており（ステップＳ９６）、画像形成部４２により画像形成が行われ（ステップＳ９７）、後処理は行われずに出力される。
【０１０９】
図２５（ａ）に、ファイル結合を行う対象として選択されたファイルの例を示す。ＦＩＬＥ１は後処理無しに設定され、ＦＩＬＥ３は後処理条件としてステープルが設定され、ＦＩＬＥ５は後処理条件としてパンチが設定されている。後処理個別設定モードが選択され、ＦＩＬＥ５に対する後処理条件がパンチからステープルへ変更された場合の出力イメージを図２５（ｂ）に示す。ＦＩＬＥ１及びＦＩＬＥ３については、予め設定されていた後処理条件に基づいて後処理が実施され、ＦＩＬＥ５については、変更後の後処理条件に基づいてステープル処理が実施される。
【０１１０】
以上、説明したように、第３の実施の形態の画像形成装置によれば、後処理個別設定モードが選択された場合に、結合されるファイルそれぞれに対して予め設定されている後処理条件に対して、後処理条件の追加又は変更を行うことにより、ユーザの意図に沿った後処理を実行することができる。
【０１１１】
第３の実施の形態では、結合される複数のファイルが選択された後に、具体的には、図２２に示すファイル名選択画面３１８において、結合されるファイルが右側のエリアに移動した後に、設定変更処理を行う場合について説明したが、結合される複数のファイルが選択される前に設定変更処理を行うこととしてもよい。
【０１１２】
なお、上記各実施の形態における記述は、本発明に係る画像形成装置の例であり、これに限定されるものではない。画像形成装置を構成する各部の細部構成及び細部動作に関しても本発明の趣旨を逸脱することのない範囲で適宜変更可能である。
【０１１３】
例えば、ファイルを保存する保存手段については、ハードディスク８０に限定されず、ＤＶＤ（Digital Versatile Disk）等の記憶媒体であってもよいが、不揮発性のメモリであることが好ましい。
【図面の簡単な説明】
【０１１４】
【図１】本発明の第１の実施の形態における画像形成装置１の断面構成図である。
【図２】ハードディスク８０の記憶構造を説明するための図である。
【図３】（ａ）は、ハードディスク８０に保存されているファイルの構成を示す図である。（ｂ）は、ＪＯＢヘッダーに記録されている設定情報を示す図である。（ｃ）は、ＰＡＧＥヘッダーに記録されている設定情報を示す図である。
【図４】画像形成装置１の内部構成を示すブロック図である。
【図５】画像形成装置１により実行されるファイル保存処理を示すフローチャートである。
【図６】ユーザ名選択画面３１１の表示例である。
【図７】ＢＯＸ名選択画面３１２の表示例である。
【図８】ファイル名入力画面３１３の表示例である。
【図９】読み込み画面３１４の表示例である。
【図１０】画像形成装置１により実行されるファイル結合処理Ａを示すフローチャートである。
【図１１】ファイル選択処理を示すフローチャートである。
【図１２】ユーザ名選択画面３１５の表示例である。
【図１３】ＢＯＸ名選択画面３１６の表示例である。
【図１４】ファイル名選択画面３１７の表示例である。
【図１５】ファイル名選択画面３１７において、「ＦＩＬＥ１」が選択された状態を示す表示例である。
【図１６】ファイル名選択画面３１７において、「ＦＩＬＥ１」、「ＦＩＬＥ３」が選択された状態を示す表示例である。
【図１７】（ａ）は、ファイル結合を行う対象として選択されたファイルの例を示す図である。（ｂ）は、後処理全体設定モードが選択され、選択されたファイル全体に対してステープルが設定された場合の出力イメージを示す図である。（ｃ）は、後処理個別設定モードが選択された場合の出力イメージを示す図である。
【図１８】各ファイルの後処理設定に対して、ファイル全体に後処理を追加することができるか否かを示す判断テーブルである。
【図１９】第２の実施の形態における画像形成装置により実行されるファイル結合処理Ｂを示すフローチャートである。
【図２０】第３の実施の形態における画像形成装置により実行されるファイル結合処理Ｃを示すフローチャートである。
【図２１】設定変更処理を示すフローチャートである。
【図２２】ファイル名選択画面３１８の表示例である。
【図２３】設定変更画面３１９の表示例である。
【図２４】出力設定画面３２０の表示例である。
【図２５】（ａ）は、ファイル結合を行う対象として選択されたファイルの例を示す図である。（ｂ）は、後処理個別設定モードが選択され、ＦＩＬＥ５に対する後処理条件がパンチからステープルへ変更された場合の出力イメージを示す図である。
【符号の説明】
【０１１５】
１  画像形成装置
１０  制御部
１１  画像制御部
１２  プログラムメモリ
１３  ＲＡＭ
１４  記憶部
１５  読取処理部
１６  ＤＲＡＭ制御ＩＣ
１７  画像メモリ
１８  書込処理部
１９  ハードディスク処理部
２０  画像読取部
２１  ＡＤＦ部
２２  スキャナ部
２３  読取制御部
３０  操作部
３１  表示部
３２  操作部制御部
４０  プリンタ部
４１  搬送機構
４２  画像形成部
４３  プリンタ制御部
５０  給紙ユニット
５１，５２，５３，５４  給紙トレイ
６０  後処理ユニット
７０  プリントコントローラ部
８０  ハードディスク
【図１】
2007062269.tif 000003
【図２】
2007062269.tif 000004
【図３】
2007062269.tif 000005
【図４】
2007062269.tif 000006
【図５】
2007062269.tif 000007
【図６】
2007062269.tif 000008
【図７】
2007062269.tif 000009
【図８】
2007062269.tif 000010
【図９】
2007062269.tif 000011
【図１０】
2007062269.tif 000012
【図１１】
2007062269.tif 000013
【図１２】
2007062269.tif 000014
【図１３】
2007062269.tif 000015
【図１４】
2007062269.tif 000016
【図１５】
2007062269.tif 000017
【図１６】
2007062269.tif 000018
【図１７】
2007062269.tif 000019
【図１８】
2007062269.tif 000020
【図１９】
2007062269.tif 000021
【図２０】
2007062269.tif 000022
【図２１】
2007062269.tif 000023
【図２２】
2007062269.tif 000024
【図２３】
2007062269.tif 000025
【図２４】
2007062269.tif 000026
【図２５】
2007062269.tif 000027